(57)【要約】【課題】広告シートを巻回した巻回ロールから、簡易的な装置構成で、離形紙を剥しつつエスカレータの移動手摺りに広告シートを容易に貼り付ける。【解決手段】巻回ロール１２における先端部の離形紙２４を剥がした広告シート１１を移動手摺り４９の上面に貼り付けた状態で、シート貼付装置１を移動手摺り４９の長手方向である矢印Ｘ１方向に移動させる。すなわち、移動手摺り４９の上面で、第１の離形紙剥離ローラ５及び粘着シート貼付ローラ３を、巻回ロール１２の巻回方向Ｓ１と逆方向Ｓ２に転がすように動作させる。これにより、第１及び第２の離形紙剥離ローラ５が協働して広告シート１１から離形紙２４を剥離しつつ矢印Ｘ１方向に送り出す。一方、粘着シート貼付ローラ３の回転に伴って、矢印Ｓ１方向に回転する巻回ロール１２から引き出された広告シート１１は、移動手摺り４９上面の長手方向に沿って徐々に貼り付けられて行く。【選択図】      図３
2004331331.tif 000002
【特許請求の範囲】
【請求項１】
離形紙が粘着面に貼り合わされた粘着シートの巻回体を回転自在に保持する巻回体保持部材と、
手摺りの上面で前記巻回体の巻回方向と逆方向に転がすように動作させる第１の離形紙剥離ローラと、
前記巻回体保持部材にて保持された前記巻回体より引き出した前記粘着シートの前記離形紙を前記第１の離形紙剥離ローラとの間で挟持しつつこの第１の離形紙剥離ローラの回転に従動して回転する第２の離形紙剥離ローラと、
前記巻回体保持部材にて保持された前記巻回体より引き出され且つ前記第１及び第２の離形紙剥離ローラによって前記離形紙が剥離された粘着シートを前記粘着面の裏面側から前記手摺りに押圧しつつ前記巻回体の巻回方向と逆方向に転がすように動作させる粘着シート貼付ローラと
を具備することを特徴とするシート貼付装置。
【請求項２】
前記手摺りの両側面と摺動する少なくとも一対のガイドローラをさらに具備することを特徴とする請求項１記載のシート貼付装置。
【請求項３】
前記巻回体より引き出される前記粘着シートの各側端面とそれぞれ接触可能に設けられ、この引き出される粘着シートの幅方向の向きを規制するシート案内部をさらに具備することを特徴とする請求項１又は２記載のシート貼付装置。
【発明の詳細な説明】
【０００１】
【発明の属する技術分野】
本発明は、例えばエスカレータや動く歩道に設けられた移動手摺りに宣伝広告等に用いるシートを貼り付けるためのシート貼付装置に関する。
【０００２】
【従来の技術】
近年、エスカレータや動く歩道等の移動手摺りが宣伝広告の掲示に利用されている。この種の宣伝広告は、商品のカラー写真等を印刷した長尺の広告シートを移動手摺りに貼り付けることで実現されている。したがって、このようなニーズにより長尺の粘着シートを移動手摺りに貼付けるための専用の装置も開発されている（例えば、特許文献１参照）。
【０００３】
【特許文献１】
特表２００２−５３７２００号公報（第２３−２７頁，図１、図２、図７）
【０００４】
すなわち、この特許文献の装置は、粘着フィルムが巻回された巻回フィルムをハンドレール（移動手摺り）上に固定し、このハンドレールの移送状態で、供給側ロールに支持された巻回フィルムの粘着フィルムから離形シートを巻取りロールで巻き取りつつ（剥離しつつ）、粘着フィルムをハンドレール上に被着させるものである。
【０００５】
【発明が解決しようとする課題】
ところで、上記特許文献の装置は、上述したように、粘着フィルムから離形シートを剥がすための機構が、離形シートの巻取機構で実現されている。このため、この装置は、離形シートの巻き弛みを阻止するために、供給側ロールよりも巻取ロールを速く回転させ、一方で、巻き取り時の張力で離形シートが切れてしまうことを阻止するために、いわゆるクラッチ機構（スリップ機構）が必要となる。これにより、上記文献の装置は、離形シートの剥離機構が複雑な構造になっている。
【０００６】
本発明は、このような課題を解決するためになされたもので、離形紙を貼り合わせた粘着シートの巻回体から、簡易的な装置構成で、離形紙を剥しつつ手摺りに粘着シートを容易に貼り付けることができるシート貼付装置の提供を目的とする。
【０００７】
【課題を解決するための手段】
上記目的を達成するために、本発明に係るシート貼付装置は、離形紙が粘着面に貼り合わされた粘着シートの巻回体を回転自在に保持する巻回体保持部材と、手摺りの上面で前記巻回体の巻回方向と逆方向に転がすように動作させる第１の離形紙剥離ローラと、前記巻回体保持部材にて保持された前記巻回体より引き出した前記粘着シートの前記離形紙を前記第１の離形紙剥離ローラとの間で挟持しつつこの第１の離形紙剥離ローラの回転に従動して回転する第２の離形紙剥離ローラと、前記巻回体保持部材にて保持された前記巻回体より引き出され且つ前記第１及び第２の離形紙剥離ローラによって前記離形紙が剥離された粘着シートを前記粘着面の裏面側から前記手摺りに押圧しつつ前記巻回体の巻回方向と逆方向に転がすように動作させる粘着シート貼付ローラとを具備することを特徴とする。
【０００８】
すなわち、本発明では、巻回体より僅かに引き出して且つ先端部の離形紙を剥がした粘着シートを手摺りの上面に貼り付けた状態で、第１の離形紙剥離ローラ及び粘着シート貼付ローラを、手摺りの上面で、前記巻回体の巻回方向と逆方向に転がすように動作させることで、離形紙が剥離された粘着シートを先端部側から徐々に手摺りの上面に貼り付けて行くことができる。したがって、本発明によれば、巻き取り機構等を適用することなく離形紙の剥離機構を実現しているので、スリップ機構等の不要な簡易的な装置構成で、離形紙を引き剥がしつつ粘着シートを容易に貼り付けることができる。
【０００９】
また、本発明において、手摺りの両側面と摺動する少なくとも一対のガイドローラを設けることが好ましい。この場合、巻回体保持部材に保持された巻回体、粘着シート貼付ローラ、及び第１、第２の離形紙剥離ローラの径方向が、手摺りの長手方向に向くように、これらのローラを、上記一対のガイドローラによって案内することができ、これにより、手摺りの長手方向に沿って直線的に粘着シートを貼り付けて行くことができる。
【００１０】
ここで、本発明においては、手摺りとシート貼付装置との位置関係を相対的に変化させることで、粘着シートの貼り付けが可能となる。すなわち、手摺りに対してシート貼付装置本体を移動させ、粘着シートを貼り付けようにしてもよいし、また、手摺りが、エスカレータ等に搭載される移動手摺り等である場合には、固定的に配置した装置本体に対し移動手摺りを搬送し、粘着シートを貼り付けるようにしてもよい。
【００１１】
さらに、本発明は、前記巻回体より引き出される前記粘着シートの各側端面とそれぞれ接触可能に設けられ、この引き出される粘着シートの幅方向の向きを規制するシート案内部を備えるものであってもよい。シート案内部を設けることにより、手摺りの例えば長手方行に対し曲がった状態で粘着シートが貼り付けられてしまうことを抑制することができる。
【００１２】
【発明の実施の形態】
以下、本発明の実施の形態を図面に基づき説明する。
図１は、本発明の実施形態に係るシート貼付装置を示す斜視図、図２は、このシート貼付装置及びこれに装着される広告シートの巻回ロールを示す分解斜視図、図３は、巻回ロールが装着されたシート貼付装置を正面からみた断面図、図４は、広告シートの構造を詳細に示す図、図５は、シート貼付装置を粘着シート貼付ローラ側からみた側面図、図６は、シート貼付装置を第１及び第２の離形紙剥離ローラ側からみた側面図である。
【００１３】
この実施形態のシート貼付装置は、エスカレータに設けられた移動手摺り（ハンドレール）に対し宣伝広告に用いる広告シートを貼り付けるためのものである。図１ないし図６に示すように、このシート貼付装置１は、フレーム２と、粘着シート貼付ローラ３と、第１、第２の離形紙剥離ローラ５、６と、それぞれ対のガイドローラ７、８及びガイドローラ９、１０と、広告シート１１が巻回された巻回ロール１２を保持する巻回ロール保持部材１４とを備えている。
【００１４】
フレーム２は、一対のシャフト１５、１６と、一対のプレート１７、１８とから構成されている。プレート１７、１８は、シャフト１５、１６をその軸方向から挟持するかたちで対向配置されている。プレート１７、１８とシャフト１５、１６とは、ねじ１９、１９ａ、２０、２１によって互いが締結されている。シャフト１５、１６は、プレート１５、１６における上端部のコーナ部分を連結するように配置されており、広告シート１１の貼付作業を行う作業者の把持部としても機能する。また、シャフト１５、１６の全長、すなわち対向配置されるプレート１７、１８どうしの離間距離は、広告シート１１を貼り付けるべき移動手摺り４９の幅よりも僅かに長くなるように形成されている。
【００１５】
ここで、広告シート１１の構造について説明する。図４及び上記図２等に示すように、広告シート１１は、いわゆる粘着シートであって、広告シート本体２２の片面に設けられた粘着層（粘着面）２３に離形紙２４が貼り合わされた長尺の多層シートである。
【００１６】
詳述すると、広告シート１１を例えば形成する場合には、まず離形紙２４の基材となる例えば矩形の白色フィルム上へ宣伝広告用の商品絵柄２５等を例えばカラー印刷した印刷フィルム２６をその粘着層２７を介して貼り合わせる。次に、移動手摺りの上面の幅より僅かに狭い、例えば９５ｍｍ幅で有効部分（印刷フィルムの商品絵柄等）を残すようにカッティングを行う。つまり、上記９５ｍｍ幅の有効部分における幅方向の縁部の印刷フィルムのみを例えば２０ｍｍずつ切り取って上記白色フィルム上より剥離する。
【００１７】
次に、上記カッティングによって長尺に裁断された印刷フィルム２６を間に挟むように、商品絵柄２５の表面側から、矩形で且つ透明な樹脂シート（例えばウレタン系フィルム等）２８をその粘着層２９を介して矩形の白色フィルムに貼り合わせる。この後、上記９５ｍｍ幅の有効部分における幅方向の両縁部に例えば１０ｍｍ幅の透明な樹脂シート２８を残すかたちで、白色フィルムごと裁断し、例えば１１５ｍｍ幅の複数の広告シート１１を形成する。このようにして形成された長尺の広告シート１１が巻回され巻回ロール１２として構成される。
【００１８】
また、図１、図２に示すように、巻回体保持部材として適用されている巻回ロール保持部材１４は、第１保持部材３０及び第２保持部材３１からなるツーピース構造で構成されており、巻回ロール１２をその軸方向から挟むようにして互いが着脱自在に装着される。第１保持部材３０及び第２保持部材３１は、それぞれ薄板を円板状に形成した中円板３０ａ、３１ａ及び大円板３０ｂ、３１ｂを同軸的に備えるものである。第２保持部材３１の中円板３１ａ及び大円板３１ｂの中心部分には、その基端部が支持されるようにして連結シャフト３２が設けられている。一方、第１保持部材３０の中円板３０ａ及び大円板３０ｂの中心部分には、連結シャフト３２先端の溝３３を貫通させるかたちで、当該連結シャフト３２が装着されるシャフト装着孔３４が形成されている。
【００１９】
さらに、連結シャフト３２の基端部に設けられた溝（図示せず）、及び先端部の溝３３は、その断面形状が、いわゆるＤ字状（Ｄカット形状）に成形されている。連結シャフト３２の両端部の断面Ｄ字状の溝は、プレート１７、１８における上端部のほぼ中央部分にそれぞれ形成されたＬ字溝３５、３６と係合し固定されるものとなっている。プレート１７、１８のＬ字溝３５、３６の近傍には、その基端部が回転自在に支持された係止片３７、３８が設けられている。プレート１７、１８に対して旋回可能な係止片３７、３８の先端部端縁３９、４０は、Ｌ字溝３５、３６に係合した連結シャフト３２の両端の外形部分と嵌合しこれを保持する。これにより、巻回ロール保持部材１４は、フレーム２に対して着脱自在であるとともに、このフレーム２への装着状態においては固定的に支持されることになる。
【００２０】
ここで、巻回ロール保持部材１４における第１保持部材３０と第２保持部材３１との装着状態では、中円板３０ａ、３１ａの各外周面３１ｃ（中円板３０ａの外周面は図示せず）は、巻回ロール１２の内周面１２ａとの遊嵌部分として設けられている。これにより、巻回ロール１２に回転力が発生した場合、中円板３０ａ、３１ａの各外周面に対して巻回ロール１２の内周面１２ａが容易に摺動して、巻回ロール１２が回転（自転）する。つまり、巻回ロール１２は、巻回ロール保持部材１４によって回転自在に保持されている。したがって、巻回ロール１２より広告シート１１が引き出されようとする力が作用した場合、固定的に支持された巻回ロール保持部材１４に対して巻回ロール１２が回転しつつ広告シート１１が引き出されることになる。
【００２１】
また、第１保持部材３０と第２保持部材３１の大円板３０ｂ、３１ｂの直径は、巻回ロール１２の直径よりも大径になるように形成されている。さらに、大円板３０ｂ、３１ｂと中円板３０ａ、３１ａとの間には、その軸方向（厚さ方向）において互いが僅かに離間するように例えば円板状のスペーサ（図示せず）が介在されている。また、巻回ロール保持部材１４における第１保持部材３０と第２保持部材３１との装着状態では、互いに対向する大円板３０ｂ、３１ｂの内側面どうしの離間距離は、広告シート１１の幅、すなわち巻回ロール１２の軸方向の長さよりも僅かに長くなるように形成されている。
【００２２】
これにより、中円板３０ａ、３１ａの外周面と、その内周面で摺動する巻回ロール１２は、大きな側圧（巻回ロール１２の端面と大円板３０ｂ、３１ｂの内側面との間に生じる摩擦力）を受けることなく、巻回ロール保持部材１４に対してスムーズに自転することが可能となっている。また、一方で、大円板３０ｂ、３１ｂの各内側面は、巻回ロール１２から引き出される広告シート１１の幅方向の向きを規制するシート案内部としても機能する。すなわち、広告シート９が、巻回ロール１２の径方向（広告シート１１の幅方向）に対して大きく曲がって引き出されてしまうような場合でも、広告シート１１の側端面が、大円板３０ｂ、３１ｂの内側面と接触し、広告シート１１の引き出し方向を規制する。
【００２３】
第１の離形紙剥離ローラ５は、例えばウレタンゴムによって成形されており、図１ないし図３、及び図６に示すように、プレート１７、１８の下方の一方のコーナ部分の近傍にて、その軸方向から挟持されるかたちで設けられている。プレート１７、１８にねじ４１、４１ａを通じて固定される第１の離形紙剥離ローラ５は、被固定部分である中心部分にベアリング機構４２が設けられており、これにより、プレート１７、１８（フレーム２）に対して回転自在となっている。ここで、第１の離形紙剥離ローラ５は、広告シート１１の貼付時において、移動手摺り４９の上面で巻回ロール１２の巻回方向Ｓ１と逆方向Ｓ２に転がすように動作させて用いられる。
【００２４】
第２の離形紙剥離ローラ６は、例えばウレタンゴムによって成形されており、広告シート１１の貼付時において、巻回ロール保持部材１４にて保持されている巻回ロール１２より引き出した広告シート１１の離形紙２４を、第１の離形紙剥離ローラ５との間で挟持しつつこの第１の離形紙剥離ローラ５の回転に従動して回転するローラである。すなわち、第２の離形紙剥離ローラ６は、自身の周面が、第１の離形紙剥離ローラ５の周面と摺動するように、第１の離形紙剥離ローラ５の直上に配置されている。したがって、第２の離形紙剥離ローラ６は、第１の離形紙剥離ローラ５と対向配置され、且つプレート１７、１８にて、その軸方向から挟持されるかたちで設けられている。
【００２５】
プレート１７、１８にねじ４３、４３ａを通じて固定される第２の離形紙剥離ローラ６は、被固定部分である中心部分にベアリング機構４５が設けられており、プレート１７、１８（フレーム２）に対して回転自在となっている。これにより、広告シート１１の貼付時、つまり広告シート１１から離形紙２４を剥離させる場合において、第１及び第２の離形紙剥離ローラ５、６により離形紙２４の先端部に挟持させた状態で、移動手摺り４９の上面で第１の離形紙剥離ローラ５を方向Ｓ２に転がすように動作させることで、これに従動して第２の離形紙剥離ローラ６が方向Ｓ１に回転することになる。この際、第１及び第２の離形紙剥離ローラ５、６の協働作業により、広告シート１１から離形紙２４が剥離されるとともに、剥がされたこの離形紙２４が矢印Ｘ１方向に送り出されることになる。ここで、離形紙２４をこのようにして剥離させる第１及び第２の離形紙剥離ローラ５、６は、表面の摩擦係数がより高い値になるようにその構成材料等を適宜選択することが望ましい。
【００２６】
粘着シート貼付ローラ３は、例えばウレタンゴムによって成形されており、図１ないし図３、及び図５に示すように、プレート１７、１８の下方の他方のコーナ部分の近傍にて、その軸方向から挟持されるかたちで設けられている。プレート１７、１８にねじ４６、４６ａを通じて固定される粘着シート貼付ローラ３は、被固定部分である中心部分にベアリング機構４７が設けられており、これにより、プレート１７、１８（フレーム２）に対して回転自在となっている。粘着シート貼付ローラ３は、巻回ロール保持部材１４にて保持された巻回ロール１２より引き出され且つ第１及び第２の離形紙剥離ローラ５、６によって離形紙２４が剥離された広告シート１１（広告シート本体２２）を、粘着層（粘着面）２３の裏面側から移動手摺り４９に押圧しつつ移動手摺り４９の上面で巻回ロール１２の巻回方向Ｓ１と逆方向Ｓ２に転がすように動作させて用いるローラである。さらに、粘着シート貼付ローラ３は、上記回転動作により、巻回ロール１２を矢印Ｓ１方向に回転させつつ広告シート１１を先端部側より徐々に引き出すことができる。
【００２７】
したがって、巻回ロール１２より僅かに引き出して且つ先端部の離形紙２４を剥がした広告シート１１を移動手摺り４９の上面に貼り付けた状態で、第１の離形紙剥離ローラ５及び粘着シート貼付ローラ３を、移動手摺り４９の上面で、巻回ロール１２の巻回方向Ｓ１と逆方向Ｓ２に転がすように動作させることで、離形紙２４が剥離された広告シート１１を先端部側から徐々に移動手摺り４９の上面に貼り付けて行くことができる。
【００２８】
また、それぞれ対のゴムローラであるガイドローラ７、８及びガイドローラ９、１０は、図５及び図６に示すように、移動手摺り４９の両側面４９ａ、４９ｂと摺動するように、プレート１７、１８の下方の各コーナ部分に配置されている。ガイドローラ７、８、９、１０は、その軸方向が、粘着シート貼付ローラ３、第１、第２の離形紙剥離ローラ５、６及び巻回ロール保持部材１４の軸方向とそれぞれ直交し、且つ上下方向（移動手摺り４９の上下方向）に起立した姿勢で配置されている。
【００２９】
ガイドローラ７、８、９、１０は、所定の支持ピン等を介してプレート１７、１８を部分的に内側方向に折曲した各折曲部により、回転自在に支持されている。これにより、巻回ロール１２、粘着シート貼付ローラ３、及び第１、第２の離形紙剥離ローラ５、６の径方向が、移動手摺り４９の長手方向に向くように上記ガイドローラ７、８、９、１０によって案内され、移動手摺り４９の長手方向に沿って直線的に広告シート１１を貼り付けて行くことができる。
【００３０】
次に、このように構成されたシート貼付装置１を用いて実際にエスカレータの移動手摺り４９に広告シート１１（広告シート本体２２）を貼り付ける場合の作用を図１ないし図６に加え、図７に基づき説明する。ここで、図７は、シート貼付装置１により、エスカレータ４８の移動手摺り４９に広告シート１１を貼り付ける場合の形態を示す斜視図である。
【００３１】
図２に示すように、まず、第１保持部材３０及び第２保持部材３１により巻回ロール１２をその軸方向から挟むようにして、この巻回ロール１２を巻回ロール保持部材１４に装着する。次に、連結シャフト３２の両端部の溝３３等をプレート１７、１８のＬ字溝３５、３６に係合させるとともに、係止片３７、３８を連結シャフト３２の外形部分と嵌合させることにより、巻回ロール１２が装着された巻回ロール保持部材１４をフレーム２に取り付ける。
【００３２】
続いて、図３に示すように、巻回ロール保持部材１４にて保持された巻回ロール１２より広告シート１１を引き出して、その広告シート１１の先端部の離形紙２４を剥離させる。次いで、剥離させた離形紙２４の先端部を第１及び第２の離形紙剥離ローラ６の間に挿入するとともに、粘着シート貼付ローラ３の内側から下側を通すように、離形紙２４を剥離した広告シート１１の先端部の粘着層２３を移動手摺り４９の上面に貼り付ける。
【００３３】
さらに、粘着シート貼付ローラ３で、広告シート１１（広告シート本体２２）を、粘着層２３の裏面側から移動手摺り４９に押圧するとともに、第１の離形紙剥離ローラ５で移動手摺り４９を押圧するようにしてセッテイングを行う。この際、ガイドローラ７、８及びガイドローラ９、１０が移動手摺り４９の両側面４９ａ、４９ｂと接触し、且つ粘着シート貼付ローラ３及び離形紙剥離ローラ５の径方向が、移動手摺り４９の長手方向に向くようにセッテイングを行う。
【００３４】
このようにセッテイングされた状態で、図３及び図７に示すように、シート貼付装置１本体を、移動手摺り４９の長手方向である矢印Ｘ１方向に移動させ、第１の離形紙剥離ローラ５及び粘着シート貼付ローラ３を、移動手摺り４９の上面で、巻回ロール１２の巻回方向Ｓ１と逆方向Ｓ２に転がすように動作させる。この際、第１の離形紙剥離ローラ５の回転に従動して第２の離形紙剥離ローラ６が方向Ｓ１に回転することになる。
【００３５】
これにより、第１及び第２の離形紙剥離ローラ５、６の協働作業により、広告シート１１から離形紙２４が剥離されるとともに、剥がされたこの離形紙２４が矢印Ｘ１方向に送り出されることになる。一方、粘着シート貼付ローラ３の方向Ｓ２への回転動作により、巻回ロール１２が矢印Ｓ１方向に回転し広告シート１１が先端部側より徐々に引き出される。したがって、離形紙２４が剥離された広告シート１１は、先端部側から徐々に移動手摺り４９の上面に貼り付けられて行く。また、この際、移動手摺り４９の両側面４９ａ、４９ｂと摺動するガイドローラ７、８、９、１０によって、巻回ロール１２、粘着シート貼付ローラ３、及び第１、第２の離形紙剥離ローラ５、６の径方向が、移動手摺り４９の長手方向に向くように案内され、これにより、移動手摺り４９の長手方向に沿って直線的に広告シート１１を貼り付けて行くことができる。
【００３６】
既述したように、本実施形態に係るシート貼付装置１によれば、巻き取り機構等を適用することなく、広告シート１１における離形紙２４の剥離機構を実現しているので、スリップ機構等の不要な簡易的な装置構成で、離形紙２４を引き剥がしつつ広告シート１１（広告シート１１本体２２）を容易に貼り付けることができる。
【００３７】
以上、本発明を実施の形態により具体的に説明したが、本発明は前記実施形態にのみ限定されるものではなく、その要旨を逸脱しない範囲で種々変更可能である。すなわち、上述した実施形態では、移動手摺り４９に対してシート貼付装置１本体を移動させ、広告シート１１の貼付作業を行ったが、これに代えて、固定的に配置したシート貼付装置１本体に対し、移動手摺り４９を搬送し、広告シート１１を貼り付けるようにしてもよい。また、上記シート貼付装置１は、勿論、動く歩道の移動手摺り等に対しても適用可能であるとともに、河川に架け渡された一般の橋や歩道橋等の脇に固定的に設けられた手摺りに対しても用いることが可能である。
【００３８】
【発明の効果】
以上説明したように、本発明では、巻回体より僅かに引き出して且つ先端部の離形紙を剥がした粘着シートを手摺りの上面に貼り付けた状態で、第１の離形紙剥離ローラ及び粘着シート貼付ローラを、手摺りの上面で、前記巻回体の巻回方向と逆方向に転がすように動作させることで、離形紙が剥離された粘着シートを先端部側から徐々に手摺りの上面に貼り付けて行くことができる。したがって、本発明によれば、巻き取り機構等を適用することなく離形紙の剥離機構を実現しているので、スリップ機構等の不要な簡易的な装置構成で、離形紙を引き剥がしつつ粘着シートを容易に貼り付けることができる。
【図面の簡単な説明】
【図１】本発明の実施形態に係るシート貼付装置を示す斜視図である。
【図２】図１のシート貼付装置及びこれに装着される広告シートの巻回ロールを示す分解斜視図である。
【図３】巻回ロールが装着された図１のシート貼付装置を正面からみた断面図である。
【図４】図１のシート貼付装置によって貼り付けられる広告シートの構造を詳細に示す図である。
【図５】図１のシート貼付装置を粘着シート貼付ローラ側からみた側面図である。
【図６】図１のシート貼付装置を第１及び第２の離形紙剥離ローラ側からみた側面図である。
【図７】図１のシート貼付装置を用いてエスカレータの移動手摺りに広告シートを貼り付ける場合の形態を示す斜視図である。
【符号の説明】
１…シート貼付装置、３…粘着シート貼付ローラ、５…第１の離形紙剥離ローラ、６…第２の離形紙剥離ローラ、７，８，９，１０…ガイドローラ、１１…広告シート、１２…巻回ロール、１４…巻回ロール保持部材、２２…広告シート本体、２３…粘着層、２４…離形紙、３０，３１…第１保持部材、第２保持部材、３０ａ，３１ａ…中円板、３０ｂ，３１ｂ…大円板、３１ｃ…中円板の周面、３５，３６…Ｌ字溝、３７，３８…係止片、４８…エスカレータ、４９…移動手摺り。
【図１】
2004331331.tif 000003
【図２】
2004331331.tif 000004
【図３】
2004331331.tif 000005
【図４】
2004331331.tif 000006
【図５】
2004331331.tif 000007
【図６】
2004331331.tif 000008
【図７】
2004331331.tif 000009